(57)【特許請求の範囲】
【請求項１】
基板に印刷を施すことにより背景部内に指標部を設けてなる計器文字板であって、
前記基板上に形成されるスクリーン印刷層からなり前記指標部を包含しない第１の背景部と、
前記基板上に形成されるデジタル印刷層からなり前記指標部を包含すると共に前記第１の背景部に連なる第２の背景部と、
を有することを特徴とする計器文字板。
【請求項２】
基板に印刷を施すことにより背景部内に指標部を設けてなる計器文字板であって、
前記基板上に設けられるスクリーン印刷層からなる下地部と、
前記下地部上に形成されるスクリーン印刷層からなり前記指標部を包含しない第１の背景部と、
前記下地部上に形成されるデジタル印刷層からなり前記指標部を包含すると共に前記第１の背景部に連なる第２の背景部とを有することを特徴とする計器文字板。
【請求項３】
前記基板上において前記下地部は前記第１の背景部及び前記第２の背景部よりも広い範囲に形成され、前記第１の背景部は前記下地部を前記第２の背景部に対応する形状に露出させる非形成領域を有し、この非形成領域内に位置する前記下地部上に前記第２の背景部を設けてなることを特徴とする請求項２記載の計器文字板。
【請求項４】
前記デジタル印刷層が紫外線硬化型のインクジェット印刷層からなることを特徴とする請求項１記載の計器文字板。
【請求項５】
基板に印刷を施すことにより背景部内に指標部を設けてなる計器文字板の製造方法であって、
前記基板上に前記指標部を包含しない第１の背景部を形成するスクリーン印刷工程と、
前記基板上に前記指標部を包含すると共に前記第１の背景部に連なる第２の背景部を形成するデジタル印刷工程と、
を有することを特徴とする計器文字板の製造方法。
【請求項６】
基板に印刷を施すことにより背景部内に指標部を設けてなる計器文字板の製造方法であって、
前記基板上に下地部を形成する第１のスクリーン印刷工程と、
前記下地部上に前記指標部を包含しない第１の背景部を形成する第２のスクリーン印刷工程と、
前記下地部上に前記指標部を包含すると共に前記第１の背景部に連なる第２の背景部を形成するデジタル印刷工程とを有することを特徴とする計器文字板の製造方法。
【請求項７】
前記下地部は前記第１の背景部及び前記第２の背景部よりも広い範囲に形成され、前記第１の背景部は前記下地部を前記第２の背景部に対応する形状に露出させる非形成領域を有するように形成され、前記第２の背景部は前記非形成領域内に位置する前記下地部上を覆うように設けられることを特徴とする請求項６記載の計器文字板の製造方法。
【発明の詳細な説明】
【技術分野】
【０００１】
本発明は、計器文字板に関し、特に車両用計器の文字板として好適な計器文字板及びその製造方法に関する。
【背景技術】
【０００２】
この種の計器文字板は、通常、例えば透光性合成樹脂からなる基板の表面にスクリーン印刷によって指標部と背景部とを設けることが通常であり、背景部を遮光性インクにより、指標部を透光性インクにより形成してバックライトにて透過照明するタイプの計器文字板が知られている（例えば下記特許文献参照）。
【特許文献１】特開２００５−３１６３４号公報
【発明の開示】
【発明が解決しようとする課題】
【０００３】
しかしながら、スクリーン印刷によって計器文字板を製作する場合、計器文字板は車種、排気量、グレード、仕向地等が多種多様であるため、これに合わせて計器文字板も他品種にわたると共にその印刷内容も異なってくる。このためスクリーン印刷による作成手法は、版の交換、インク交換等の段取りが多く、製造工程を煩雑化し、結果的のコストアップにつながるという問題がある。
【０００４】
本発明は前述した問題点に着目し、印刷時間を短縮し、コストダウンを達成することが可能な計器文字板及びその製造方法を提供するものである。
【課題を解決するための手段】
【０００５】
本発明は、前述した課題を解決するため、基板に印刷を施すことにより背景部内に指標部を設けてなる計器文字板であって、前記基板上に形成されるスクリーン印刷層からなり前記指標部を包含しない第１の背景部と、前記基板上に形成されるデジタル印刷層からなり前記指標部を包含すると共に前記第１の背景部に連なる第２の背景部と、を有することを特徴とする。
【０００６】
また本発明は、前述した課題を解決するため、基板に印刷を施すことにより背景部内に指標部を設けてなる計器文字板であって、前記基板上に設けられるスクリーン印刷層からなる下地部と、前記下地部上に形成されるスクリーン印刷層からなり前記指標部を包含しない第１の背景部と、前記下地部上に形成されるデジタル印刷層からなり前記指標部を包含すると共に前記第１の背景部に連なる第２の背景部とを有することを特徴とする。
【０００７】
また本発明は、前記基板上において前記下地部は前記第１の背景部及び前記第２の背景部よりも広い範囲に形成され、前記第１の背景部は前記下地部を前記第２の背景部に対応する形状に露出させる非形成領域を有し、この非形成領域内に位置する前記下地部上に前記第２の背景部を設けてなることを特徴とする。
【０００８】
また本発明は、前記デジタル印刷層が紫外線硬化型のインクジェット印刷層からなることを特徴とする。
【０００９】
また本発明は、前述した課題を解決するため、基板に印刷を施すことにより背景部内に指標部を設けてなる計器文字板の製造方法であって、前記基板上に前記指標部を包含しない第１の背景部を形成するスクリーン印刷工程と、前記基板上に前記指標部を包含すると共に前記第１の背景部に連なる第２の背景部を形成するデジタル印刷工程と、を有することを特徴とする。
【００１０】
また本発明は、前述した課題を解決するため、基板に印刷を施すことにより背景部内に指標部を設けてなる計器文字板の製造方法であって、前記基板上に下地部を形成する第１のスクリーン印刷工程と、前記下地部上に前記指標部を包含しない第１の背景部を形成する第２のスクリーン印刷工程と、前記下地部上に前記指標部を包含すると共に前記第１の背景部に連なる第２の背景部を形成するデジタル印刷工程とを有することを特徴とする。
【００１１】
また本発明は、前記下地部は前記第１の背景部及び前記第２の背景部よりも広い範囲に形成され、前記第１の背景部は前記下地部を前記第２の背景部に対応する形状に露出させる非形成領域を有するように形成され、前記第２の背景部は前記非形成領域内に位置する前記下地部上を覆うように設けられることを特徴とする。
【発明の効果】
【００１２】
本発明によれば、初期の目的を達成することができ、印刷時間を短縮し、コストダウンを達成することが可能な計器文字板及びその製造方法を提供することができる。
【発明を実施するための最良の形態】
【００１３】
以下、本発明の実施の形態について添付図面を用いて説明する。
【００１４】
図１〜図７は、本発明による計器文字板及びその製造方法の一実施形態を示すものである。なお図１及び図２は、計器文字板の使用状態を示すもので図１は計器文字板の断面図、図２は計器文字板の正面図である。また図３〜図６は、計器文字板の製造方法（製造過程）を示すもので、図３は基板の正面図、図４は基板に下地部を形成したときの正面図、図５は基板に第１の背景部を形成した時の正面図、図６は基板に第２の背景部を形成したときの正面図である。また図７は図１及び図２記載の計器文字板と基本構成は同じであるが、指標部の意匠が異なる点でバリエーションが相違する計器文字板の正面図である。
【００１５】
図１及び図２において、本実施形態による計器文字板は、基板１と、下地部２と、第１の背景部３と、第２の背景部４と、指標部５とを備えている。なお図１において指標部５を指示する指針やこの指針を計測量に応じて回転させる駆動装置からなる計器メカニズムＭは一点鎖線にて示されている。
【００１６】
基板１は、例えばＰＣ（ポリカーボネート）、ＰＭＭＡ（メタクリル樹脂）等の透光性合成樹脂基板からなる。
【００１７】
下地部２は、例えば白色の透光性インクを基板１上にスクリーン（シルク）印刷して得られる印刷層からなり、この場合、下地部２は、基板１の全域を覆うように一様にベタ印刷されている。
【００１８】
なお本実施形態では下地部２を単一色の単一層としたが複数色（複数層）としてもよい。また下地層２の色や性質は任意である。
【００１９】
第１の背景部３は、下地部２とは異なる色または明度のインク、例えば黒色の遮光性インクを下地部２上にスクリーン（シルク）印刷して得られる印刷層からなり、この場合、第１の背景部３は、目盛、数字、文字、マーク等の意匠要素（指標部）を包含しない。そして下地部２よりも形成面積が小さく、下地部２を第２の背景部４のうち、後述する第１の背景領域に対応した形状に露出させる第１の非形成領域３１と、後述する第２の背景領域に対応した形状に露出させる第２の非形成領域３２とを有するように形成されている（図１，図５参照）。
【００２０】
第２の背景部４は、例えば紫外線硬化型インクをインクジェット方式にて、第１，第２の非形成領域３１，３２内に位置する下地部２の各下地領域上に印刷してなるデジタル印刷層からなり、前記指針が指示する車速値に応じた目盛、数字からなる指標部５を包含する第１の背景領域４１と、車速単位を示す「ｋｍ／ｈ」からなる文字にて構成される指標部５を包含する第２の背景領域４２とで構成されている。
【００２１】
そしてこの場合、各指標部５は、下地部２と同色もしくは同様の明度を有すると共に透光性を有する指標部５として形成され、各指標部５の背景となる領域は、第１，第２の背景領域４１，４２とも第１の背景部３と同色である黒色の遮光性の背景として形成される。なお背景となる領域の遮光性を向上させるために複数回印刷してもよい。また第２の背景部４は任意の色を設定できるが、第１の背景部３と同色に設定することで各背景３，４どうしの境界を目立たなくすることができる。
【００２２】
次に図３〜図６に基づいて本実施形態による計器文字板の製造方法を説明する。
【００２３】
所定サイズの基板１を用意する。本実施形態では一連の製造工程にて最終的に１２枚の計器文字板を作成できる大きさの基板１を使用する。
【００２４】
次に基板１の表面に下地層２をスクリーン印刷する（第１のスクリーン印刷工程）。この場合、下地部２は、基板１の略全域を覆うように一様にベタ印刷されている。
【００２５】
次に下地層２の表面に第１の背景部３を印刷する（第２のスクリーン印刷工程）。この場合、第１の背景部３は、第１，第２の非形成領域３１，３２が形成されるように形成される。
【００２６】
次に下地層２が露出する第１，第２の非形成領域３１，３２上を覆うように第２の背景部４（第１，第２の背景領域４１，４２）をインクジェット方式にてデジタル印刷する（デジタル印刷工程）。なおインクジェット方式によるデジタル印刷技術自体は例えば特開２００６−２１４９０６号公報に記載されているため、詳しい説明は省略するが、インクジェット方式以外のデジタル印刷手法としては、電子写真方式や熱転写方式を用いてもよいが、特に紫外線硬化型インクを用いてインクジェット印刷することにより、インクの密着性を高め、また高精細な印刷を可能にし、商品性を向上させることができる。
【００２７】
次に以上のごとく印刷を施した基板１を個々の計器文字板単位で切断することにより、図１記載の計器文字板が完成する。
【００２８】
以上が指標部５として「ｋｍ／ｈ」からなる数字、目盛、車速単位を有する計器文字板の製造工程である。
【００２９】
図７は指標部５として「ｍｐｈ」からなる数字、目盛、車速単位を有する計器文字板を示すもので、図１の計器文字板と基本構成は同じであるが、指標部５の意匠が「ｋｍ／ｈ」なる車速単位ではなく、「ｍｐｈ」なる車速単位に対応する点でバリエーション（例えば仕向地）が相違するものである。
【００３０】
すなわち、図１の計器文字板と図７の計器文字板とでは、デジタル印刷層でなる第２の背景部４の印刷意匠（デザイン）が車速単位（「ｍｐｈ」，「ｍｐｈ」）に応じて相違するのみであり、一連の製造（印刷）工程と、基板１と下地層２と第１の背景層３とでなるスクリーン印刷層の形状（共通の版を使用）と、デジタル印刷層の外形形状は、共通となっている。
【００３１】
以上のように、本実施形態では、基板１に印刷を施すことにより背景部３，４内に指標部５を設けてなる計器文字板であって、基板１上に設けられるスクリーン印刷層からなる下地部２と、下地部２上に形成されるスクリーン印刷層からなり指標部５を包含しない第１の背景部３と、下地部２上に形成されるデジタル印刷層からなり指標部５を包含すると共に第１の背景部３に連なる第２の背景部４とを有することにより、指標部５等の意匠要素のない第１の背景部３と下地部３は版を共用化し、バリエーション展開等に応じて多種多様な意匠要素を包含する第２の背景部４は版を不要にでき、これにより、印刷時間の短縮化と製造工程の簡素化を図り、コストダウンを達成することができる。なお下地層２は必要に応じて省いてもよい。
【００３２】
また本実施形態では、基板１上において下地部２は第１の背景部３及び第２の背景部４よりも広い範囲に形成され、第１の背景部３は下地部２を第２の背景部４に対応する形状に露出させる非形成領域を４１，４２有し、この非形成領域４１，４２内に位置する下地部２上に第２の背景部４を設けてなることにより、第２の背景部４が下地層を必要とする場合でも専用の下地層を設ける必要がなく、更なるコストダウンを達成することができる。
【００３３】
また本実施形態では、デジタル印刷層が紫外線硬化型のインクジェット印刷層からなることにより、インクの密着性を高め、また高精細な印刷を可能にし、商品性を向上させることができる。
【００３４】
また本実施形態では、基板１に印刷を施すことにより背景部３，４内に指標部５を設けてなる計器文字板の製造方法であって、基板１上に下地部２を形成する第１のスクリーン印刷工程と、下地部２上に指標部５を包含しない第１の背景部３を形成する第２のスクリーン印刷工程と、下地部２上に指標部５を包含すると共に第１の背景部３に連なる第２の背景部４を形成するデジタル印刷工程とを用いて、計器文字板を製造することにより、指標部５等の意匠要素のない第１の背景部３と下地部３は版を共用化し、バリエーション展開等に応じて多種多様な意匠要素を包含する第２の背景部４は版を不要にでき、これにより、印刷時間の短縮化と製造工程の簡素化を図り、コストダウンを達成することができる。なお下地層２を形成する第２のスクリーン印刷工程は、は必要に応じて省いてもよい。
【００３５】
また本実施形態では、下地部２は第１の背景部３及び第２の背景部４よりも広い範囲に形成され、第１の背景部３は下地部２を第２の背景部４に対応する形状に露出させる非形成領域４１，４２を有するように形成され、第２の背景部４は非形成領域４１，４２内に位置する下地部２上を覆うように設けられることにより、第２の背景部４が下地層を必要とする場合でも専用の下地層を設ける必要がなく、更なるコストダウンを達成することができる。
【００３６】
なお本実施形態では、車速単位に起因して指標部５の意匠が相違する計器文字板を例に説明したが、例えばレッドゾーン表示部等、指針の回動位置（範囲）に係わる意匠要素や各警報・報知マーク等に係わる意匠要素のバリエーションに応じて本発明を適用してもよい。
【図面の簡単な説明】
【００３７】
【図１】本発明の一実施形態による計器文字板の断面図。
【図２】同実施形態による計器文字板の正面図。
【図３】同実施形態による計器文字板の製造方法（製造過程）を示す基板の正面図。
【図４】同実施形態による計器文字板の製造方法（製造過程）を示すもので、基板に下地部を形成したときの正面図。
【図５】同実施形態による計器文字板の製造方法（製造過程）を示すもので、基板に第１の背景部を形成した時の正面図。
【図６】同実施形態による計器文字板の製造方法（製造過程）を示すもので、基板に第２の背景部を形成したときの正面図。
【図７】同実施形態においてバリエーションが相違する計器文字板の正面図。
【符号の説明】
【００３８】
１  基板
２  下地部
３  第１の背景部
４  第２の背景部
５  指標部
３１  第１の非形成領域
３２  第２の非形成領域
４１  第１の背景領域
４２  第２の背景領域
【図１】
0005029904.tif 000002
【図２】
0005029904.tif 000003
【図３】
0005029904.tif 000004
【図４】
0005029904.tif 000005
【図５】
0005029904.tif 000006
【図６】
0005029904.tif 000007
【図７】
0005029904.tif 000008